(57)【要約】【課題】操作部の操作に応じて音響効果が制御される音響装置及びその音響効果制御方法に関し、音響効果を得るための操作部の操作を再現できる音響装置及びその音響効果制御方法を提供することを目的とする。【解決手段】  本発明は、操作部の操作に応じて音響効果が制御される音響装置において、操作部の操作動作とは別に、操作部を駆動する駆動手段と、操作部の操作に応じて予め設定された操作情報に基づいて駆動手段の動作を制御する制御手段とを有することを特徴とする。【選択図】図３
2006033481.tif 000002
【特許請求の範囲】
【請求項１】
操作部の操作に応じて音響効果が制御される音響装置において、
前記操作部の操作動作とは別に、前記操作部を駆動する駆動手段と、
前記操作部の操作に応じて予め設定された操作情報に基づいて前記駆動手段の動作を制御する制御手段とを有することを特徴とする音響装置。
【請求項２】
前記操作部の操作動作を検出する検出手段を有することを特徴とする請求項１記載の音響装置。
【請求項３】
前記操作情報を記憶する記憶手段を有することを特徴とする請求項１又は２記載の音響装置。
【請求項４】
前記操作情報を外部とやり取りするインタフェースを有することを特徴とする請求項１乃至３のいずれか一項記載の音響装置。
【請求項５】
前記駆動手段は、前記操作部を駆動する駆動力を発生するアクチュエータを有することを特徴とする請求項１乃至４のいずれか一項記載の音響装置。
【請求項６】
前記アクチュエータは、電磁力を発生させる電磁力発生手段であることを特徴とする請求項５記載の音響装置。
【請求項７】
前記電磁力発生手段は、モータであることを特徴とする請求項６記載の音響装置。
【請求項８】
前記電磁力発生手段は、固定部分に固定された永久磁石と、
被操作部分に固定されたコイルとを有し、
前記コイルに電流を供給することにより前記コイルを前記永久磁石と電磁的に作用させて、前記被操作部分を駆動させることを特徴とする請求項６記載の音響装置。
【請求項９】
前記アクチュエータは、空気圧を発生する空気圧発生手段であることを特徴とする請求項５記載の音響装置。
【請求項１０】
前記駆動手段は、前記アクチュエータにより発生する駆動力を被操作部に伝達する伝達機構を有することを特徴とする請求項５乃至９のいずれか一項記載の音響装置。
【請求項１１】
前記伝達機構は、被操作部に摺動可能に設けられ、前記アクチュエータの駆動力により駆動されるカムを有することを特徴とする請求項１０記載の音響装置。
【請求項１２】
前記伝達機構は、前記アクチュエータと被操作部とを結合するギア機構を有することを特徴とする請求項１０記載の音響装置。
【請求項１３】
前記伝達機構は、被操作部に連結されたピストンと、
前記ピストンが摺動可能に係合するシリンダと、
前記空気圧発生手段で発生した空気圧により前記ピストンと前記シリンダとの間の発生する空間の空気圧を制御する空気圧制御手段とを有することを特徴とする請求項９記載の音響装置。
【請求項１４】
前記操作部は、スイッチ機構であることを特徴とする請求項１記載の音響装置。
【請求項１５】
前記操作部は、スライド機構であることを特徴とする請求項１記載の音響装置。
【請求項１６】
前記操作情報は、サンプリング時間と、
前記サンプリング時間における音源情報と、
前記サンプリング時間における前記操作部の状態情報とを有することを特徴とする請求項１乃至１５のいずれか一項記載の音響装置。
【請求項１７】
前記操作情報は、サンプリング時間毎に音源から取得された音源情報と、
前記サンプリング時間毎の前記操作部の状態情報とを有することを特徴とする請求項１乃至１５のいずれか一項記載の音響装置。
【請求項１８】
操作部の操作に応じて音響効果を制御する音響装置の音響効果制御方法であって、
前記操作部の操作に応じて予め設定された操作情報に基づいて前記操作部の操作動作とは別に、前記操作部を駆動して、前記音響効果を制御することを特徴とする音響効果制御方法。
【請求項１９】
前記操作部の操作動作を検出し、前記操作情報として記憶することを特徴とする請求項１８記載の音響効果制御方法。
【請求項２０】
前記操作情報は、サンプリング時間と、
前記サンプリング時間における音源情報と、
前記サンプリング時間における前記操作部の状態情報とを含むことを特徴とする請求項１８又は１９記載の音響制御方法。
【請求項２１】
前記操作情報は、サンプリング時間毎に音源から取得された音源情報と、
前記サンプリング時間毎の前記操作部の状態情報とを有することを特徴とする請求項１８又は１９記載の音響制御方法。
【発明の詳細な説明】
【技術分野】
【０００１】
本発明は音響装置及びその音響効果制御方法に係り、特に、操作部の操作に応じて音響効果が制御される音響装置及びその音響効果制御方法に関する。
【背景技術】
【０００２】
マルチチャンネルミキサなどの音響装置では、複数の入力音源の各入力音源に対して種々の音響効果を付与し、ミックスして出力できる構成とされている。このとき、その操作は、多数のスイッチ操作部、スライド操作部などを駆使して行われおり、かつ、プレイ途中でも操作が行われる。このため、思い通りのサウンドを創作するには相当の経験が必要とされていた。
【０００３】
このとき、熟練者の操作や自分で創作したサウンドの操作を再現することができれば、操作を容易に習得可能となる。このため、熟練者の操作や自分で創作したサウンドの操作を再現できる音響装置が望まれている。
【０００４】
一方、制御信号によりアクチュエータを駆動して可変抵抗器を変えるオーディオ再生装置が提案されている（特許文献１）。
【０００５】
また、リニアモータ付き歩テンショメータが搭載されたミキサなどが提案されていた（特許文献２）。
【０００６】
【特許文献１】特開平７−３２６００４号公報
【特許文献２】特開平６−３１８５０７号公報
【発明の開示】
【発明が解決しようとする課題】
【０００７】
しかるに、従来の音響装置では、そのとき作成された音源を記憶し、再生することは可能であるものの、その音源を作成したときの、音響装置の操作部の操作状態を再現することはできなかった。
【０００８】
本発明は上記の点に鑑みてなされたもので、音響効果を得るための操作部の操作を再現できる音響装置を提供することを目的とする。
【課題を解決するための手段】
【０００９】
本発明は、操作部の操作に応じて音響効果が制御される音響装置において、操作部の操作動作とは別に、操作部を駆動する駆動手段と、操作部の操作に応じて予め設定された操作情報に基づいて駆動手段の動作を制御する制御手段とを有することを特徴とする。
【００１０】
本発明によれば、操作部の操作に応じて予め設定された操作情報に基づいて操作部の操作動作とは別に、操作部を駆動する駆動手段の動作を制御することにより、音響効果及びそのときの操作部の操作状態を再現することが可能となる。
【発明の効果】
【００１１】
本発明によれば、音響効果及びそのときの操作部の操作状態を再現することにより、音響装置の操作を体感でき、音響装置の操作を効率良く習得できるなどの特長を有する。
【発明を実施するための最良の形態】
【００１２】
〔システム構成〕
図１は本発明の一実施例のシステム構成図、図２は本発明の一実施例のブロック構成図を示す。
【００１３】
本実施例の音響システム１は、マルチチャンネルミキサ１１、レコードプレーヤ１２−１、１２−２、アンプ１３、スピーカ１４Ｌ、１４Ｒ、メモリカード１５から構成される。
【００１４】
マルチチャンネルミキサ１１には、レコードプレーヤ１２−１、１２−２などの音源から音源情報が供給されている。マルチチャンネルミキサ１１は、ボタン操作部３１、及び、スライド操作部３２を有し、例えば、レコードプレーヤ１２−１、１２−２から供給された音源情報に対してボタン操作部３１の操作に応じた音響効果をスライド操作部３２の操作量に応じた量だけ施して出力する。このとき、マルチチャンネルミキサ１１は、スイッチ操作部３１及びスライド操作部３２を予め設定された操作情報に基づいて駆動することが可能な構成とされており、予め設定されたミキシング操作を再現できるように構成されている。
【００１５】
マルチチャンネルミキサ１１から出力された信号は、アンプ１３に供給される。アンプ１３は、マルチチャンネルミキサ１１から供給された信号に応じてスピーカ１４Ｌ、１４Ｒを駆動し、スピーカ１４Ｌ、１４Ｒから出力する。
【００１６】
〔マルチチャンネルミキサ１１〕
図３はマルチチャンネルミキサ１１のブロック構成図を示す。
【００１７】
マルチチャンネルミキサ１１は、音響処理部２１、操作部２２、操作制御部２３、出力部２４、コントロールポート２５、カードスロット２６から構成される。
【００１８】
入力ポートＰin1〜Ｐinnには、オーディオプレーヤ１２−１、１２−２などの外部機器からオーディオ信号が供給される。入力ポートＰin1〜Ｐinnは、音響処理部２１に接続されており、外部機器からのオーディオ信号を音響処理部２１に供給する。
【００１９】
音響処理部２１には、入力ポートＰin1〜Ｐinnから供給されるオーディオ信号の他、操作部２２から操作信号が供給されている。音響処理部２１は、操作部２２からの操作信号に基づいて入力ポートＰin1〜Ｐinnから供給されるオーディオ信号に対して音響効果を付与する。
【００２０】
音響処理部２１で操作部２２からの操作信号に応じた音響効果が付与されたオーディオ信号は、出力部２４に供給される。出力部２４は、音響処理部２１で音響効果が付与されたオーディオ信号を増幅して、出力ポートＰout1〜Ｐoutnから出力する。出力ポートＰout1〜Ｐoutnは、アンプ１３に接続されており、アンプ１３にオーディオ信号を出力する。
【００２１】
操作制御部２３には、音響処理部２１から音響情報が供給されている。操作制御部２３は、予め設定された操作情報に応じて操作部２２を駆動させる。また、操作制御部２３は、コントロールポート２５を介してレコードプレーヤ１２−１、１２−２を予め設定された操作情報に基づいて制御する。
【００２２】
〔操作制御部２３〕
ここで、操作制御部２３について説明する。
【００２３】
図４は操作制御部２３のブロック構成図を示す。なお、ここで、スイッチ操作部３１は、ｍ個のスイッチ操作部３１−１〜３１−ｍから構成されており、スライダ操作部３２は、ｋ個のスライダ操作部３２−１〜３２−ｋから構成されている。
【００２４】
操作制御部２３は、状態検出手段４１−１〜４１−ｍ、４２−１〜４２−ｋ、アナログディジタル変換器（ＡＤＣ）４３−１〜４３−ｋ、４７−１〜４４−ｋ、マイコン４５、内部メモリ４６、ディジタルアナログ変換器（ＤＡＤ）４７−１〜４７−ｍ、４８−１〜４８−ｋ、駆動回路４９−１〜４９−ｍ、５０−１〜５０−ｋ、内部メモリ５０、インタフェース回路５１から構成されている。
【００２５】
状態検出手段４１−１〜４１−ｍは、スイッチ操作部３１−１〜３１−ｍがオン状態か、オフ状態かを検出するための手段であり、例えば、スイッチ操作部３１−１〜３１−ｍに供給される電流などを検出することにより検出を行う。
【００２６】
状態検出手段４２−１〜４２−ｋは、スライド操作部３２−１〜３２−ｋのスライド量を検出する手段であり、例えば、スライド操作部３２−１〜３２−ｋの出力電圧などにより検出を行う。
【００２７】
状態検出手段４１−１〜４１−ｍで検出されたスイッチ操作部３１−１〜３１−ｍの状態に応じた検出信号は、アナログ−ディジタル変換器４３−１〜４３−ｍに供給される。アナログ−ディジタル変換器４３−１〜４３−ｍは、検出信号をディジタルデータに変換して、マイコン４５に供給する。
【００２８】
状態検出手段４２−１〜４２−ｋで検出されたスライド操作部３２−１〜３２−ｍの状態に応じた検出信号は、アナログ−ディジタル変換器４４−１〜４４−ｍに供給される。アナログ−ディジタル変換器４４−１〜４４−ｋは、検出信号をディジタルデータに変換して、マイコン４５に供給する。
【００２９】
マイコン４５は、アナログ−ディジタル変換器４３−１〜４３−ｍ及び４４−１〜４４−ｋから供給された検出情報及び音響処理部２１から供給される音源情報などに基づいて操作情報を作成し、内部メモリ４６又はメモリスロット２６に装着されたメモリカード１５に記憶する。
【００３０】
ここで、操作情報のデータ構成について説明する。
【００３１】
図５は操作情報のデータ構成図を示す。
【００３２】
音源情報Ｓ１〜Ｓend、スイッチ操作部３１−１〜３１−ｍ、夫々の状態情報ＳＷ11〜ＳＷ1end〜ＳＷm1〜ＳＷmend、スライド操作部３２−１〜３２−ｋ、夫々の状態情報ＳＬ11〜ＳＬ1end〜ＳＬk1〜ＳＬkend、レコードプレーヤ１２−１のターンテーブルの回転状態情報ＲＰ11〜ＲＰ1end、レコードプレーヤ１２−２のターンテーブルの回転状態情報ＲＰ21〜ＲＰ2endを所定のサンプリング時間ｔ１〜ｔend毎に内部メモリ４６又はメモリスロット２６に装着されたメモリカード１５に記憶している。
【００３３】
なお、操作情報は、任意のサンプリング時間毎とに記憶するようにしてもよい。
【００３４】
図６は操作情報の変形例のデータ構成図を示す。
【００３５】
本変形例の操作情報は、任意のサンプリング時間ｔ11〜ｔ1end毎に、音源情報Ｓ１〜Ｓend、スイッチ操作部３１−１〜３１−ｍ、夫々の状態情報ＳＷ11〜ＳＷ1end〜ＳＷm1〜ＳＷmend、スライド操作部３２−１〜３２−ｋ、夫々の状態情報ＳＬ11〜ＳＬ1end〜ＳＬk1〜ＳＬkend、レコードプレーヤ１２−１のターンテーブルの回転状態情報ＲＰ11〜ＲＰ1end、レコードプレーヤ１２−２のターンテーブルの回転状態情報ＲＰ21〜ＲＰ2endを内部メモリ４６又はメモリスロット２６に装着されたメモリカード１５に記憶している。
【００３６】
マイコン４５は、内部メモリ４６又はメモリスロット２６に装着されたメモリカード１５に記憶された操作情報に基づいてスイッチ操作部３１−１〜３１−ｍ及びスライド操作部３２−１〜３２−ｋを駆動するための制御情報を生成する。マイコン４５で生成された制御情報は、ディジタル−アナログ変換器４７−１〜４７−ｍ、４８−１〜４８−ｋに供給される。
【００３７】
ディジタル−アナログ変換器４７−１〜４７−ｍ、４８−１〜４８−ｋは、マイコン４５から供給された制御情報をアナログ制御信号に変換する。ディジタル−アナログ変換器４７−１〜４７−ｍで変換されたアナログ制御信号は、駆動回路４９−１〜４９−ｍに供給される。駆動回路４９−１〜４９−ｍは、ディジタル−アナログ変換器４７−１〜４７−ｍから供給されたアナログ制御信号に応じた駆動信号を生成する。駆動回路４９−１〜４９−ｍで生成された駆動信号は、スイッチ操作部３１−１〜３１−ｍに供給される。スイッチ操作部３１−１〜３１−ｍは、駆動回路４９−1〜４９−ｍから供給された駆動信号により、操作とは別に、駆動され、スイッチングされる。
【００３８】
また、ディジタル−アナログ変換器４８−１〜４８−ｋで変換されたアナログ制御信号は、駆動回路５０−１〜５０−ｋに供給される。駆動回路５０−１〜５０−ｋは、ディジタル−アナログ変換器４８−１〜４８−ｋで変換されたアナログ制御信号に応じた駆動信号を生成する。駆動回路５０−１〜５０−ｋで生成された駆動信号は、スライド操作部３２−１〜３２−ｋに供給される。スライド操作部３２−１〜３２−ｋは、駆動回路５０−１〜５０−ｋから供給された駆動信号により、操作とは別に駆動され、スライド位置が変位する。
【００３９】
音響処理部２１は、音源情報に対してスイッチ操作部３１−１〜３１−ｍのスイッチング状態に応じた音響効果を与える。また、音響処理部２１は、スライド操作部３２−１〜３２−ｋのスライド位置に対応して音源情報に与える音響効果量などを制御する。
【００４０】
〔スイッチ操作部３１−１〕
ここで、スイッチ操作部３１−１について説明する。
【００４１】
図７はスイッチ操作部３１−１の分解斜視図、図８はスイッチ操作部３１−１の断面図を示す。
【００４２】
スイッチ操作部３１−１は、スイッチ１１１、位置決めベース１１２、コイルバネ１１３、キャップ１１４、モータ１１５、ギア機構１１６、偏心カム１１７から構成され、回路基板１０１上に搭載されている。
【００４３】
スイッチ１１１は、例えば、ラッチ機能付きプッシュスイッチから構成されており、スイッチ本体１１１ａ及び押下部１１１ｂから構成されている。スイッチ１１１は、押下部１１１ｂがスイッチ本体１１１ａ方向、矢印Ｚ２方向に押下されることにより、スイッチ本体１１１ａ内部に設けられた接点がスイッチングされる。また、スイッチ１１１は、スイッチ本体１１１ａが回路基板１０１に形成された配線パターン上に半田付けされ、回路基板１０１の配線パターンにより音響処理部２１に接続される。
【００４４】
位置決めベース１１２は、全体としては略円筒形状をなし、上端外周部分には、コイルバネ１１３を保持するための段部１２１が形成され、下端外周部分には、四方に固定部１２２が延出した形状とされている。固定部１２２には、貫通孔１２３が形成されている。
【００４５】
位置決めベース１２２は、中心孔１２４にスイッチ１１１が収納されるように回路基板１０１に位置決めされる。位置決めベース１２２の貫通孔１２３には、ネジ１２５が貫通する。ネジ１２５は、回路基板１０１に形成されたネジ孔１２６に螺入される。ネジ１２５を回路基板１０１に形成されたネジ孔１２６に螺入することにより、位置決めベース１２２は回路基板１０１に固定される。
【００４６】
コイルバネ１１３は、下端が位置決めベース１２２の上端に形成された段部１２１に係合し、上端にはキャップ１１４が係合する。コイルバネ１１３は、キャップ１１４を回路基板１０１に対して上方矢印Ｚ１方向に弾性的に押し上げる機能を有する。
【００４７】
キャップ１１４は、有底の円筒状をなし、有底面側が上方、矢印Ｚ１方向を向き、開口面側が下方、矢印Ｚ２方向を向くように配置されている。キャップ１１４の開口面側縁部には、鍔部１３１が形成されている。鍔部１３１には、偏心カム１１７が係合している。鍔部１３１は、偏心カム１１７が回転により、下方、矢印Ｚ２方向に押下される。
【００４８】
偏心カム１１７は、矢印Ｙ１、Ｙ２方向に配置された回転軸１５１に固定されている。回転軸１５１は、一端が回路基板１０１に植設された軸受１５２により軸支され、他端が回路基板１０１に固定されたギア機構１１６により軸支されており、矢印Ａ１、Ａ２方向に回転可能とされている。ギア機構１１６には、モータ１１５が結合されている。モータ１１５は、回路基板１０１上に保持され、駆動回路４１−１から供給される駆動信号により回転する。モータ１１５の回転によりギア機構１１６が駆動される。ギア機構１１６は、モータ１１５の回転により回転軸１５１を矢印Ａ１、Ａ２方向に回転させる。回転軸１５１が矢印Ａ１、Ａ２方向に観点することにより、偏心カム１１７が矢印Ａ１、Ａ２方向に回転する。偏心カム１１７が矢印Ａ１、Ａ２方向に回転することにより、キャップ１１４の鍔部１３１が矢印Ｚ２方向に押圧される。これによって、キャップ１１４がコイルバネ１１３の弾性力に抗して矢印Ｚ２方向に変位する。
【００４９】
また、キャップ１１４の内部には、底面から矢印Ｚ２方向に押圧部１３２が突出している。押圧部１３２は、位置決めベース１２２の中心孔１２４に摺動可能に係合している。キャップ１４４は、押圧部１３２が位置決めベース１２２の中心孔１２４を摺動することにより、矢印Ｚ１、Ｚ２方向に移動するようにガイドされている。キャップ１１４が下方、矢印Ｚ２方向に押圧されたときに、スイッチ１１１の押圧部１１１ａを押下する構造とされている。
【００５０】
これによって、モータ１１５の回転によりキャップ１１４が矢印Ｚ２方向に変位されることにより、スイッチ１１１の押圧部１１１ａが押下されてスイッチ１１１がスイッチングされる。
【００５１】
また、キャップ１１４の底面側、矢印Ｚ１方向には、操作パネル１０２が配置されており、キャップ１１４は、コイルバネ１１３により操作パネル１０２、矢印Ｚ１方向に弾性的に押圧されており、操作パネル１０２に形成された貫通孔１４１から操作パネル１０２の操作面側、矢印Ｚ１方向側に表出している。これによって、操作者が操作面からキャップ１１４を押下することによって、スイッチ１１１をスイッチングすることができる。
【００５２】
なお、スイッチ操作部３１−２〜３２−ｍは、スイッチ操作部３１−１と同様な構成であるので、その説明は省略する。
【００５３】
〔スイッチ操作部３１−１の第１変形例〕
本実施例のスイッチ操作部３１−１では、偏心カムにより１５１を用いてキャップ１１４を押下する構成としたが、ギアによりキャップを押下するようにしてもよい。
【００５４】
図９はスイッチ操作部３１−１の第１変形例の分解斜視図、図１０はスイッチ操作部３１−１の第１変形例の断面図を示す。同図中、図７、図８と同一構成部分には同一符号を付し、その説明は省略する。
【００５５】
本変形例のスイッチ操作部２３１−１はキャップ２１４の矢印Ｘ１、Ｘ２方向の側面にラック２２１が形成し、ラック２２１にギア２２２を噛合させ、キャップ２１４をＺ２方向に変位させることにより、スイッチ１１１をスイッチングする構成とされている。
【００５６】
駆動回路４９−１からの駆動信号によりモータ１１５が回転すると、モータ１１５の回転はギア機構１１６により回転軸１５１に伝達される。これにより、回転軸１５１は、矢印Ａ１、Ａ２方向に回転する。回転軸１５１は回転することにより、ギア２２２が矢印Ａ１、Ａ２方向に回転する。ギア２２２が矢印Ａ１、Ａ２方向に回転すると、ラック２２１が矢印Ｚ２方向に押下される。ラック２２１が矢印Ｚ２方向に押下されると、キャップ２１４がコイルバネ２１３の弾性力に抗して矢印Ｚ２方向に変位する。これによって、スイッチ１１１がスイッチングされる。スイッチ１１１を押下した後にはモータ１１５の駆動力が解除される。キャップ２１４はコイルバネ１１３により矢印Ｚ１方向に押圧されているので、モータ１１５の駆動力が解除されると、ラック２２１によりギア２２２にモータ１１５による駆動時とは反対方向の駆動力が働く。このとき、モータ１１５は駆動されていないので、ギア２２２はモータ１１５による駆動時とは反対方向に回転して、キャップ２１４は元の位置に復帰する。
【００５７】
なお、このとき、スイッチ１１１がスイッチングするのに十分な距離だけキャップ２１４が変位するように、ギア２２２の一部に歯だけを形成しておくようにしてもよい。モータ１１５によりギア２２２を回転させたときに、ギア２２２の歯部によりキャップ２１４が変位する。キャップ２１４が変位し、スイッチ１１１が押下された後には、キャップ２１４のラック２２１がギア２２２の歯部から開放され、キャップ２１４が自動的に元の位置に復帰される。
【００５８】
〔スイッチ操作部３１−１の第２変形例〕
本実施例のスイッチ操作部３１−１では、偏心カムにより１５１を用いてキャップ１１４を押下する構成としたが、電磁力によりキャップを押下するようにしてもよい。
【００５９】
図１１はスイッチ操作部３１−１の第２変形例の分解斜視図、図１２はスイッチ操作部３１−１の第２変形例の断面図を示す。同図中、図７、図８と同一構成部分には同一符号を付し、その説明は省略する。
【００６０】
本変形例のスイッチ操作部３３１−１では、キャップ３１４の下部外側面にコイル３２１を固定し、さらに、コイル３２１の内周側にヨーク３２２を配置した構成とされ、また、コイル３２１に対向して、コイル３２１に直交する方向に磁力線が延在し、かつ、ヨーク３２３の内周に固定され、互いに反対の極性とされた第１の永久磁石３２４−１、及び、第１の永久磁石３２４−１とは反対の極性を有する第２の永久磁石３２４−２を配置した構成とされている。
【００６１】
第１の永久磁石３２４−１及び第２の永久磁石３２４−２並びにキャップ３１４に設けられたヨーク３２２、３２３とにより、磁力線がコイル３２１に直交するように発生する。ここで、コイル３２１に駆動回路４９−１から駆動信号を供給することにより、コイル３２１に電流が流れる。コイル３２１に電流が流れることにより、フレミング左手の法則に従い、コイル３２１に対して矢印Ｚ２方向の力が発生する。この力によって、キャップ３１４が矢印Ｚ２方向に変位される。
【００６２】
なお、第１の永久磁石３２４−１、第２の永久磁石３２４−２は、ヨーク３２３に接着剤などにより接着されて固定され、ヨーク３２３は、ネジ３２５を、ヨーク３２３の下端に形成された爪部３２３ａに形成された貫通孔３２３ｂを通して回路基板１０１に螺入することにより固定されている。
【００６３】
〔スイッチ操作部３１−１の第３変形例〕
本実施例のスイッチ操作部３１−１では、偏心カムにより１５１を用いてキャップ１１４を押下する構成としたが、電磁力によりキャップを押下するようにしてもよい。
【００６４】
図１３はスイッチ操作部３１−１の第３変形例の分解斜視図、図１４はスイッチ操作部３１−１の第３変形例の断面図を示す。同図中、図７、図８と同一構成部分には同一符号を付し、その説明は省略する。
【００６５】
本変形例のスイッチ操作部４３１−１は、キャップ４１４の下端周辺にコイル４２１を巻回し、また、回路基板１０１上のキャップ４１４の下面に対向して、回路基板１０１に直交する方向に磁力線が延在するように永久磁石４２２を配置した構成とされている。
【００６６】
コイル４２１に駆動回路４９−１からの駆動信号を供給することにより、コイル４２１の磁界と永久磁石４２２の磁界とが作用して、コイル４２１に矢印Ｚ２方向に力が発生する。この力によって、キャップ３１４が矢印Ｚ２方向に変位される。
【００６７】
なお、永久磁石４２２は、貫通孔４２２ａを有する。ネジ１２５を、位置決めベース１２２の貫通孔１２３を貫通させた後、さらに、貫通孔４２２ａを貫通させて、回路基板１０１のネジ孔１２６に螺入することにより、回路基板１０１に固定される。また、永久磁石４２２には、中心部にスイッチ１１１を配置するための孔部４２２ｂを有する。スイッチ１１１は、この孔部４２２ｂを通して回路基板１０１に接続される。
【００６８】
〔スイッチ操作部３１−１の第４変形例〕
本実施例のスイッチ操作部３１−１では、偏心カムにより１５１を用いてキャップ１１４を押下する構成としたが、空気圧によりキャップを押下するようにしてもよい。
【００６９】
図１５はスイッチ操作部３１−１の第４変形例の分解斜視図、図１６はスイッチ操作部３１−１の第４変形例の断面図を示す。同図中、図７、図８と同一構成部分には同一符号を付し、その説明は省略する。
【００７０】
本変形例のスイッチ操作部５３１−１は、キャップ５１４の下端部周囲に鍔部５２１を設け、鍔部５２１の外周側にシリンダ５２２を配置した構成とされ、キャップ５１４をピストンとして作用させ、シリンダ５２２とキャップ５１４との間の空間の気圧を低下させることにより、キャップ５１４を矢印Ｚ２方向に変位させる構成とされている。
【００７１】
シリンダ５２２は、下部周縁部に鍔部５２２ａを有する。鍔部５２２ａには、貫通孔５２２ｂが形成されている。ネジ５２４を、貫通孔５２２ｂを通して回路基板１０１のネジ孔５２５に螺入することにより、シリンダ５２２が回路基板１０１に固定される。なお、このとき、シリンダ５２２と回路基板１０１との間にパッキン５２６を介して回路基板１０１上に固定することにより、空気の漏れを防止でき、効率よく駆動できる。
【００７２】
シリンダ５２２の内部は、ホース５２７により圧力制御部５２８に接続されている。圧力制御部５２８には、ポンプ５２９が接続されている。圧力制御部５２８は、駆動回路４９−１からの駆動信号に応じてシリンダ５２２の内部の圧力を切り換える。
【００７３】
圧力制御部５２８は、例えば、駆動回路４９−１からの駆動信号によりスイッチ１１１をスイッチングするときには、ポンプ５２９とホース５２７とを接続して、シリンダ５２２内部の圧力を外部の圧力に比べて低くなるように制御する。これによって、キャップ５１４がコイルバネ１１３の弾性力に抗して矢印Ｚ２方向に下降し、スイッチ１１１が操作される。圧力制御部５２８は、スイッチ１１１の操作終了後、シリンダ操作後、ホース５２７とポンプ５２９とを切断し、大気圧に開放する。これによって、キャップ５１４は、コイルバネ１１３の弾性力により元の位置に復元する。
【００７４】
なお、本変形例では、ホース５２７を、圧力制御部５２８を介してポンプ５２９に接続し、駆動回路４９−１からの駆動信号により圧力制御部５２８を制御することにより、シリンダ５２２内部の圧力を制御したが、ホース５２７をポンプ５２９に直結し、駆動回路４９−１からの駆動信号によりポンプ５２９の動作を直接制御し、シリンダ５２２内部の圧力を制御するようにしてもよい。
【００７５】
〔スライド操作部３２−１〕
次に、スライド操作部４２−１について説明する。
【００７６】
図１７はスライド操作部３２−１の分解斜視図、図１８はスライド操作部３２−１の断面図を示す。
【００７７】
スライド操作部３２−１は、スライド操作装置６１１、スライド駆動装置６１２、操作ツマミ６１３から構成される。
【００７８】
スライド操作装置６１１は、例えば、スライド式可変抵抗器などから構成されており、回路基板１０１に半田付けされ、回路基板１０１に形成されたプリント配線により、音響処理部２１に接続されている。なお、スライド操作装置６１１は、凸部６２１が矢印Ｘ１、Ｘ２方向にスライド可能に配置されており、スライド位置に応じて端子間の抵抗値が変化する構成とされている。
【００７９】
スライド駆動装置６１２は、可動部６３１、固定部６３２、６３４から構成されている。可動部６３１は、可動部本体６４１の内部にコイル６４２を封止した構成とされている。コイル６４２は、矢印Ｘ１、Ｘ２方向を中心軸として巻回されている。可動部本体６４１の下部には、スライド操作装置６１１の凸部６２１と係合する係合部６４３が形成されている。また、可動部本体６４１の上部には、操作ツマミ６１３と係合する係合部６４４が形成されている。
【００８０】
固定部６３２は、スライド操作装置６１１の矢印Ｘ１方向の端部に配置されており、永久磁石６５１及びヨーク６５２から構成されている。永久磁石６５１は、矢印Ｘ１、Ｘ２方向に磁性が分極されている。ヨーク６５２は、凹状をなし、底面方向が矢印Ｘ１方向となるように配置され、底面に永久磁石６５１の矢印Ｘ１方向の面が接着される。
【００８１】
ヨーク６５２は、矢印Ｚ２方向に爪部６５３が延出している。爪部６５３は、回路基板１０１に形成された孔部６５４を貫通して、回路基板１０１の裏面側で折曲される。これによって、固定部６３２が回路基板１０１上に固定される。
【００８２】
固定部６３３は、スライド操作装置６１１の矢印Ｘ２方向の端部に配置されており、永久磁石６６１及びヨーク６６２から構成されている。永久磁石６６１は、矢印Ｘ１、Ｘ２方向に磁性が分極されている。ヨーク６６２は、凹状をなし、底面方向が矢印Ｘ２方向となるように配置され、底面に永久磁石６６１の矢印Ｘ２方向の面が接着される。
【００８３】
ヨーク６６２は、矢印Ｚ２方向に爪部６６３が延出している。爪部６６３は、回路基板１０１に形成された孔部６６４を貫通して、回路基板１０１の裏面側で折曲される。これによって、固定部６３３が回路基板１０１上に固定される。
【００８４】
なお、永久磁石６５１と永久磁石６６１は、極性が同じ方向となるように配置されている。例えば、ともに、矢印Ｘ１方向がＮ極、矢印Ｘ２方向がＳ極となるように配置されている。
【００８５】
操作ツマミ６１３には、下面側、矢印Ｚ２方向の面に可動部６３１の係合部６４４と係合する係合部６７１が形成される。操作ツマミ６１３は、操作パネル１０２の上面、矢印Ｚ１方向側に配置され、スライド孔１４２を通して可動部６３１の上面に形成された係合部６４４に係合する。
【００８６】
〔動作〕
操作者が操作ツマミ６１３を矢印Ｘ１、Ｘ２方向に移動させることにより、スライド操作装置６１１の凸部６２１が矢印Ｘ１、Ｘ２方向に移動する。これによって、スライド操作装置６１１の端子間の抵抗値などを変化させることができる。
【００８７】
また、駆動回路５０−１からの駆動信号がコイル６４２に供給されると、コイル６４２に電流が流れる。この電流によって、コイル６４２に磁界が発生する。このとき、固定部６３２と固定部６３３との間に永久磁石６５１、６６１により矢印Ｘ１方向に磁力線が発生している。コイル６４２に発生した磁力線が永久磁石６５１、６６１により発生している磁力線に作用して、コイル６４２に矢印Ｘ１又はＸ２方向に力が働く。これによって、可動部６３１が矢印Ｘ１、又は、Ｘ２方向に移動する。可動部６３１は、スライド操作装置６１１の凸部６２１に係合しているので、可動部６３１が矢印Ｘ１、又はＸ２方向に移動することにより、スライド操作装置６１１の凸部６２１が矢印Ｘ１、又はＸ２方向に移動し、スライド操作装置６１１の端子間の抵抗値などを変化させることができる。
【００８８】
このようにして、駆動回路５０−１からの駆動信号に応じてスライド操作装置６１１の端子間の抵抗値などを変化させる
なお、スライド操作部３２−２〜３２−ｋは、スライド操作部３２−１と同様な構成であるので、その説明は省略する。
【００８９】
〔スライド操作部３２−１の第１変形例〕
本実施例のスライド操作部４２−１は、スライド方向、矢印Ｘ１、Ｘ２方向に磁束を発生させたが、スライド方向に直交する方向に磁束を発生させて駆動するようにしてもよい。
【００９０】
図１９はスライド操作部３２−１の第１変形例の分解斜視図、図２０はスライド操作部３２−１の第１変形例の断面図を示す。同図中、図１７、図１８と同一構成部分には同一符号を付し、その説明は省略する。
【００９１】
本変形例のスライド操作部７３２−１は、スライド駆動部７１２の構成がスライド操作部３２−１とは相違する。本変形例のスライド駆動部７１２は、可動部７３１、固定部７３２、７３３から構成される。
【００９２】
可動部７３１は、コイル７４２が矢印Ｙ１、Ｙ２方向を中心軸として巻回された構成とされている。
【００９３】
固定部７３２は、永久磁石７５１、７５２及びヨーク７５３から構成され、スライド操作装置６１１の矢印Ｙ２方向の側面に沿って配置されている。
【００９４】
永久磁石７５１は、ヨーク７５３の矢印Ｘ１方向側に、矢印Ｙ１方向側がＮ極、矢印Ｙ２方向側がＳ極となるように接着、固定されている。永久磁石７５２は、ヨーク７５３の矢印Ｘ２方向側に、矢印Ｙ１方向側がＳ極、矢印Ｙ２方向側がＮ極となるように接着、固定されている。固定部７３２は、下端に爪部７５４が形成されている。固定部７３２は、爪部７５４を回路基板１０１に形成された孔部７５５を貫通させて、回路基板１０１の裏面側で折曲させることにより、回路基板１０１に固定される。
【００９５】
また、固定部７３３は、ヨークであり、スライド操作装置６１１の矢印Ｙ１方向の側面に沿って、固定部７３２に対向するように配置されている。固定部７３３は下端に爪部７６４が形成されている。爪部７６４を回路基板１０１に形成された孔部７６５に貫通させ、回路基板１０１の裏面側で折曲させることにより、回路基板１０１に固定されている。
【００９６】
固定部７３２及び固定部７３３により、矢印Ｙ１、Ｙ２方向に磁力線が形成される。可動部７３１は、固定部７３２と固定部７３３との間に配置される。
【００９７】
〔動作〕
駆動回路５０−１からの駆動信号をコイル７４２に供給することにより、コイル７４２に電流が流れる。コイル７４２に電流が流れることにより、フレミング左手の法則によって、コイル７４２に矢印Ｘ１、Ｘ２方向の力が働く。これによって、可動部７３１が矢印Ｘ１、又は、Ｘ２方向に移動する。可動部７３１は、スライド操作装置６１１の凸部６２１に係合しているので、可動部７３１が矢印Ｘ１、又はＸ２方向に移動することにより、スライド操作装置６１１の凸部６２１が矢印Ｘ１、又はＸ２方向に移動し、スライド操作装置６１１の端子間の抵抗値などを変化させることができる。
【００９８】
〔スライド操作部３２−１の第２変形例〕
本実施例のスライド操作部４２−１は、スライド方向、矢印Ｘ１、Ｘ２方向に磁束を発生させ、操作ツマミ４１３をスライドさせたが、空気圧を利用して操作ツマミ４１３をスライドさせるようにしてもよい。
【００９９】
図２１はスライド操作部３２−１の第２変形例の分解斜視図、図２２はスライド操作部３２−１の第２変形例の断面図を示す。同図中、図１７、図１８と同一構成部分には同一符号を付し、その説明は省略する。
【０１００】
本変形例のスライド操作部８３２−１は、スライド駆動部８１２の構成がスライド操作部３２−１とは相違する。本変形例のスライド駆動部８１２は、ポンプ８２１、圧力制御部８２２、ピストン機構８２３から構成されている。
【０１０１】
ポンプ８２１は圧力制御部８２２内の空気圧の減圧及び昇圧を行う。圧力制御部８２２には、駆動回路５０−１から駆動信号が供給されている。圧力制御部８２２は、ホース８２４を介してピストン機構８２３に接続されており、駆動回路５０−１からの駆動信号によりピストン機構８２３の内部圧力を制御する。
【０１０２】
ピストン機構８２３は、シリンダ８３１、ピストン８３２、シャフト８３３から構成されている。シリンダ８３１は有底円筒形状とされており、その中心軸が矢印Ｘ１、Ｘ２方向に平行となるように、回路基板１０１上に固定されている。
【０１０３】
ピストン８３２は、シリンダ８３１の内部に摺動可能に挿入されている。シャフト８３３は、一端がピストン８３２に固定され、他端がシリンダ８３１の開口部から延出され、スライド操作装置６１１の凸部６２１に固定されている。ホース８２４は、一端が圧力制御部８２２に接続され、他端がシリンダ８３１の底面とピストン８３２との間の空間と接続されている。
【０１０４】
なお、スライド操作装置６１１の凸部６２１には、操作パネル１０２に形成されたスライド孔１４２を介して操作パネル１０２の上面、矢印Ｚ１方向側に配置された操作ツマミ６１３の係合部６７１に係合している。
【０１０５】
〔動作〕
圧力制御部８２２は、駆動回路５０−１からの駆動信号によりシリンダ８３１の圧力を昇圧又は減圧する。圧力制御部８２２によりシリンダ８３１内部の圧力が昇圧されると、ピストン８３２が矢印Ｘ２方向に移動する。これによって、スライド操作装置６１１の凸部６２１が矢印Ｘ２方向に移動する。
【０１０６】
また、圧力制御部８２２によりシリンダ８３１内部の圧力が減圧されると、ピストン８３２が矢印Ｘ１方向に移動する。これによって、スライド操作装置６１１の凸部６２１が矢印Ｘ１方向に移動する。
【０１０７】
スライド操作装置６１１の凸部６２１が矢印Ｘ１、Ｘ２方向に移動することによって、スライド操作装置６１１の凸部６２１が矢印Ｘ１、又はＸ２方向に移動し、スライド操作装置６１１の端子間の抵抗値などを変化させることができる。
【０１０８】
なお、本変形例では、ホース８２４を圧力制御部８２２に接続し、駆動回路５０−１からの駆動信号により圧力制御部８２２を制御することにより、シリンダ８３１内部の圧力を制御したが、ホース８２４をポンプ８２１に直結し、駆動回路５０−１からの駆動信号によりポンプ８２１の動作を直接制御し、シリンダ８３１内部の圧力を制御するようにしてもよい。
【０１０９】
〔レコードプレーヤ１２−１〕
図２３はレコードプレーヤ１２−１のブロック構成図を示す。
【０１１０】
レコードプレーヤ１２−１は、例えば、アナログレコードプレーヤから構成されており、主に、ターンテーブル６１、回転軸６２、モータ６３、ピックアップ６４、出力アンプ６５、６６、コントローラ６７、回転検出装置６８、回転位置検出装置６９、駆動回路７０から構成されている。
【０１１１】
ターンテーブル６１は、回転軸６２を中心に回転自在な構成とされており、モータ６３により回転駆動される。ターンテーブル６１には、アナログレコード７１が搭載される。
【０１１２】
アナログレコード７１には、ピックアップ６４が接触し、アナログレコード７１上に螺旋上に刻まれた溝からオーディオ信号をピックアップする。ピックアップ６４によりピックアップされたオーディオ信号は、アンプ６５、６６で増幅されて出力ポートＰout1、Ｐout2に供給される。出力ポートＰout1、Ｐout2は、マルチチャンネルミキサ１１の入力ポートに接続されている。
【０１１３】
ターンテーブル６１の回転は、コントローラ６７により制御されている。コントローラ６７には、回転検出装置６８から回転検出信号が供給されている。回転検出装置６８は、例えば、ターンテーブル６１の周縁部に形成されたサーボパターンを光学的に読み取ることにより、ターンテーブル６１の回転周波数に応じた回転検出信号を生成し、コントローラ６７に供給する。コントローラ６１は、通常動作時には、回転検出信号が一定となるように回転制御信号を出力する。コントローラ６１から出力された回転制御信号は、駆動回路７０に供給される。駆動回路７０は、コントローラ６７からの回転制御信号に応じてモータ６３に駆動信号を供給し、モータ６３を駆動する。
【０１１４】
また、コントローラ６７には、回転位置検出装置６９から位置情報が供給されている。回転位置検出装置６９は、例えば、ターンテーブル６１の裏面に形成された位置検出用パターンによりターンテーブル６１の回転位置を検出し、検出した回転位置に応じた位置情報を出力する。さらに、コントローラ６７には、制御ポートＰcntから制御情報が供給されている。
制御ポートＰcntはマルチチャンネルミキサ１１のコントロールポート２５に接続されており、マルチチャンネルミキサ１１からレコードプレーヤ１２−１を制御する制御情報が供給される。
【０１１５】
コントローラ６７は、マルチチャンネルミキサ１１からの制御情報及び回転位置検出装置６９からの回転位置情報並び回転検出装置６８からの回転検出情報とに基づいてターンテーブル６１の回転を制御する。例えば、制御情報により、ターンテーブル６１の回転を所定の回転角度だけ逆転させるような制御を行う。また、コントローラ６７は、回転位置検出装置６９で検出された回転検出情報を、制御ポートＰcntを介してマルチチャンネルミキサ１１に供給する処理を行っている。
【０１１６】
なお、レコードプレーヤ１２−２は、レコードプレーヤ１２−１と同様な構成であるので、その説明は省略する。
【０１１７】
〔マルチチャンネルミキサ１１によるシステム動作〕
次に本実施例のマルチチャンネルミキサ１１による動作を説明する。
【０１１８】
図２４はマルチチャンネルミキサ１１の操作制御部２３の処理フローチャートを示す。
【０１１９】
操作制御部２３は、ステップＳ１−１で動作モードがプレイデータを保存するモードであるか否かを判定する。
【０１２０】
ステップＳ１−１でプレイデータを保存するモードである場合には、ステップＳ１−２で操作部２２の操作によりプレイが開始されたか否かを判定する。ステップＳ１−２で操作部２２の操作によりプレイが開始されると、ステップＳ１−３でレコードプレーヤ１２−１又は１２−２から音源情報を収集する。
【０１２１】
次に、操作部２２のスイッチ操作部３１−１〜３１−ｍ及びスライド操作部３２−１〜３２−ｋの操作状態などの操作情報、並びに、レコードプレーヤ１２−１、１２−２から回転位置検出情報を収集する。
【０１２２】
次に操作制御部２３は、ステップＳ１−５で、収集した音源情報、操作部２２のスイッチ操作部３１−１〜３１−ｍ及びスライド操作部３２−１〜３２−ｋの操作状態などの操作情報、並びに、レコードプレーヤ１２−１、１２−２から回転位置検出情報から保存データを生成する。保存データは、例えば、図５或いは、図６に示すようなデータ形式で生成される。操作制御部２３は、ステップＳ１−６で生成された保存データを内部メモリ４６又はメモリスロット２６に装着されたメモリカード１５に保存する。保存先は、操作部２２の操作により設定可能な構成とされている。
【０１２３】
操作制御部２３は、ステップＳ１−７で所定のサンプリング時間経過すると、ステップＳ１−８でプレイ終了したか否かを判定する。プレイの終了は、例えば、プレイヤによる操作部２２のプレイ停止ボタンの操作によって指示される。操作制御部２３は、ステップＳ１−８でプレイの終了が指示されると、ステップＳ１−９でプレイデータ保存動作を終了する。また、ステップＳ１−８でプレイの終了が指示されていなければ、ステップＳ１−３に戻ってプレイデータ保存のための処理を継続する。
【０１２４】
また、操作制御部２３は、ステップＳ１−１で動作モードがプレイデータを保存するモードでない場合には、ステップＳ１−１１でナビゲート機能を実行する動作モードであるか否かを判定する。
【０１２５】
操作制御部２３は、ステップＳ１−１１で動作モードがナビゲート機能を実行する動作モードに設定されている場合には、ステップＳ１−１２でナビゲート機能が開始されたか否かを判定する。操作制御部２３は、ステップＳ１−１２でナビゲート機能が開始されると、ステップＳ１−１３でレコードプレーヤ１２−１又は１２−２から供給される音源情報を解析して、内部メモリ４６又はメモリカード１５に記憶されている操作情報に含まれる音源情報との同期を取る処理を行う。例えば、内部メモリ４６又はメモリカード１５に記憶されている操作情報のうちレコードプレーヤ１２−１又は１２−２から供給される音源情報と同じ音源情報を持つ操作情報を現在の操作情報に設定する。
【０１２６】
次に、ステップＳ１−１４で次のサンプリング時間になると、ステップＳ１−１５で、内部メモリ４６又はメモリカード１５から音源情報を読み出し、レコードプレーヤ１２−１又は１２−２から供給される音源情報と内部メモリ４６又はメモリカード１５から読み出された音源情報とが一致するか否かを判定する。
【０１２７】
ステップＳ１−１６で音源情報が一致していれば、ステップＳ１−１７で内部メモリ４６又はメモリカード１５からスイッチ操作部３１−１〜３１−ｍ、及び、スライド操作部３２−１〜３２−ｋ、並びに、レコードプレーヤ１２−１、１２−２の状態を示すデータを読み出し、スイッチ操作部３１−１〜３１−ｍ、及び、スライド操作部３２−１〜３２−ｋ、並びに、レコードプレーヤ１２−１、１２−２を読み出したデータの状態となるように制御する。
【０１２８】
このとき、スイッチ操作部３１−１〜３１−ｍ、及び、スライド操作部３２−１〜３２−ｋは、スイッチ操作部のキャップやスライド操作部の操作ツマミなどが実際に駆動されて、その動作状態を実際の操作と同じように再現される。また、同様に、レコードプレーヤ１２−１、１２−２も回転が実際の操作と同じように駆動されて、実際の操作と同じように再現される。
【０１２９】
なお、ステップＳ１−１６で音源情報が一致しなければ、供給されている音源が異なるものであると判断して、ステップＳ１−１９でナビゲート機能を中止する旨の通知を行い、ナビゲート機能を終了する。
【０１３０】
なお、動作モードは、操作部２２に設けられた動作モード切換ボタンなどによって、切り替え可能である。
【図面の簡単な説明】
【０１３１】
【図１】本発明の一実施例のシステム構成図である。
【図２】本発明の一実施例のブロック構成図である。
【図３】マルチチャンネルミキサ１１のブロック構成図である。
【図４】マルチチャンネルミキサ１１の要部のブロック構成図である。
【図５】操作情報のデータ構成図である。
【図６】操作情報の変形例のデータ構成図である。
【図７】スイッチ操作部３１−１の分解斜視図である。
【図８】スイッチ操作部３１−１の断面図である。
【図９】スイッチ操作部３１−１の第１変形例の分解斜視図である。
【図１０】スイッチ操作部３１−１の第１変形例の断面図である。
【図１１】スイッチ操作部３１−１の第２変形例の分解斜視図である。
【図１２】スイッチ操作部３１−１の第２変形例の断面図である。
【図１３】スイッチ操作部３１−１の第３変形例の分解斜視図である。
【図１４】スイッチ操作部３１−１の第３変形例の断面図である。
【図１５】スイッチ操作部３１−１の第４変形例の分解斜視図である。
【図１６】スイッチ操作部３１−１の第４変形例の断面図である。
【図１７】スライド操作部３２−１の分解斜視図である。
【図１８】スライド操作部３２−１の断面図
【図１９】スライド操作部３２−１の第１変形例の分解斜視図である。
【図２０】スライド操作部３２−１の第１変形例の断面図である。
【図２１】スライド操作部３２−１の第２変形例の分解斜視図である。
【図２２】スライド操作部３２−１の第２変形例の断面図である。
【図２３】レコードプレーヤ１２−１のブロック構成図である。
【図２４】マルチチャンネルミキサ１１の操作制御部２３の処理フローチャートである。
【符号の説明】
【０１３２】
１  音響システム
１１  マルチチャンネルミキサ、１２−１、１２−２  レコードプレーヤ
１３  アンプ、１４Ｌ、１４Ｒ  スピーカ、１５  メモリカード
２１  音響処理部、２２  操作部、２３  操作制御部、２４  出力部
２５  コントロールポート、２６  カードスロット
３１−１〜３１−ｍ  スイッチ操作部、３２−１〜３２−ｋ  スライド操作部
４１−１〜４１−ｍ、４２−１〜４２−ｋ  状態検出手段
４３−１〜４３−ｍ、４４−１〜４４−ｋ  ＡＤＣ、４５  マイコン
４６  内部メモリ
４７−１〜４７−ｍ、４８−１〜４８−ｋ  ＤＡＣ
４９−１〜４９−ｍ、５０−１〜５０−ｋ  駆動回路、５１  インタフェース回路
【図１】
2006033481.tif 000003
【図２】
2006033481.tif 000004
【図３】
2006033481.tif 000005
【図４】
2006033481.tif 000006
【図５】
2006033481.tif 000007
【図６】
2006033481.tif 000008
【図７】
2006033481.tif 000009
【図８】
2006033481.tif 000010
【図９】
2006033481.tif 000011
【図１０】
2006033481.tif 000012
【図１１】
2006033481.tif 000013
【図１２】
2006033481.tif 000014
【図１３】
2006033481.tif 000015
【図１４】
2006033481.tif 000016
【図１５】
2006033481.tif 000017
【図１６】
2006033481.tif 000018
【図１７】
2006033481.tif 000019
【図１８】
2006033481.tif 000020
【図１９】
2006033481.tif 000021
【図２０】
2006033481.tif 000022
【図２１】
2006033481.tif 000023
【図２２】
2006033481.tif 000024
【図２３】
2006033481.tif 000025
【図２４】
2006033481.tif 000026